【事件の表示】
　特願２０１７−１１５７１３「音楽再生装置」拒絶査定不服審判事件〔平成３１年　１月１０日出願公開、特開２０１９−　　４２３８、請求項の数（７）〕について、次のとおり審決する。
【結　論】
　原査定を取り消す。
　本願の発明は、特許すべきものとする。
【理　由】
第１　手続の経緯
　本願は、平成２９年６月１３日の出願であって、平成３１年３月１４日付けで手続補正がされ、令和元年１２月１７日付けで拒絶理由通知がされ、令和２年１月１６日付けで手続補正がされ、令和２年５月８日付けで拒絶査定がされ、これに対し、令和２年７月１日に拒絶査定不服審判の請求がされると同時に手続補正がされたものである。
第２　原査定の概要
　原査定の拒絶の理由の概要は次のとおりである。
　本願の請求項１−３、５−７に係る発明は、その出願前に日本国内又は外国において、頒布された下記１の刊行物に記載された発明又は電気通信回線を通じて公衆に利用可能となった発明に基いて、本願の請求項４に係る発明は、その出願前に日本国内又は外国において、頒布された下記１、２の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
　１　特開２００２−３５４６９１号公報
　２　特開２００４−１６４２６３号公報
　以下、特開２００２−３５４６９１号公報を「引用文献１」という。
第３　本願発明
　本願請求項１−７に係る発明（以下、それぞれ「本願発明１」−「本願発明７」という。）は、令和２年７月１日付けの手続補正で補正された特許請求の範囲の請求項１−７に記載された事項により特定される発明であり、以下のとおりである。
　なお、本願発明１は当審で分説した。以下各構成要件を「構成要件Ａ」〜「構成要件Ｆ」という。
（本願発明１）
（Ａ）複数のバッテリーと、
（Ｂ）音声信号を処理するオーディオシステムと、
（Ｃ）制御部を有し、音声信号の処理以外の処理を行うメインシステムと、を備え、
（Ｄ）前記複数のバッテリーのうちの第１バッテリーは、前記メインシステムに電源電圧を供給し、
　前記複数のバッテリーのうちの第２バッテリーは、前記オーディオシステムに電源電圧を供給し、
（Ｅ）前記オーディオシステムは、
　デジタル音声信号をアナログ音声信号にＤ／Ａ変換するＤ／Ａコンバーターと、
　アナログ音声信号を増幅する増幅回路と、を有すること
（Ｆ）を特徴とする音楽再生装置。
（本願発明２）
　前記オーディオシステムと、前記第１バッテリー又は前記第２バッテリーと、を接続するためのスイッチと、をさらに備え、
　前記制御部は、
　前記第２バッテリーの残量を監視し、
　前記第２バッテリーの残量が所定値以下でない場合に、前記スイッチにより、前記オーディオシステムと前記第２バッテリーとを接続し、
　前記第２バッテリーの残量が前記所定値以下となった場合に、前記スイッチにより、前記オーディオシステムと前記第１バッテリーとを接続し、
　前記オーディオシステムと前記第２バッテリーとの接続を、前記オーディシステムと前記第１バッテリーとの接続に切り替える場合、前記オーディオシステムの出力をミュートすることを特徴とする請求項１に記載の音楽再生装置。
（本願発明３）
　前記メインシステムと、前記第１バッテリー又は前記第２バッテリーと、を接続するための第１スイッチと、
　前記オーディオシステムと、前記第１バッテリー又は前記第２バッテリーと、を接続するための第２スイッチと、をさらに備え、
　前記制御部は、前記第１バッテリー及び前記第２バッテリーの残量を監視し、
　前記第１バッテリーの残量が所定値以下でない場合に、前記第１スイッチにより、前記メインシステムと前記第１バッテリーとを接続し、
　前記第１バッテリーの残量が前記所定値以下となった場合に、前記第１スイッチにより、前記メインシステムと前記第２バッテリーとを接続し、
　前記第２バッテリーの残量が所定値以下でない場合に、前記第２スイッチにより、前記オーディオシステムと前記第２バッテリーとを接続し、
　前記第２バッテリーの残量が前記所定値以下となった場合に、前記第２スイッチにより、前記オーディオシステムと前記第１バッテリーとを接続することを特徴とする請求項１に記載の音楽再生装置。
（本願発明４）
　前記第１バッテリーは、内蔵バッテリーであり、
　前記第２バッテリーは、外部バッテリーであることを特徴とする請求項１又は２に記載の音楽再生装置。
（本願発明５）
　前記第１バッテリー、及び、前記第２バッテリーは、内蔵バッテリーであることを特徴とする請求項１又は３に記載の音楽再生装置。
（本願発明６）
　前記オーディオシステムは、アナログ回路であることを特徴とする請求項１〜５のいずれか１項に記載の音楽再生装置。
（本願発明７）
　前記メインシステムは、デジタル回路であることを特徴とする請求項１〜６のいずれか１項に記載の音楽再生装置。
第４　引用文献１の記載事項及び引用文献１に記載された発明
１　引用文献１の記載事項
　原査定の拒絶の理由に引用された上記引用文献１には、図面とともに次の事項が記載されている。なお、下線は当審で付与した。
「【０００８】本発明は、前記従来技術の欠点を解消するためになされたもので、電源回路を介して生ずるアナログ部とディジタル部との相互のノイズなどによる影響を防止することを目的としている。また、本発明は、ディジタル回路からなるシステム制御部などの動作の安定を図ることを目的としている。
【０００９】さらに、本発明は、ディジタル部に給電する電源の瞬断時においても、ディジタル部の動作を確保できるようにすることを目的としている。そして、本発明は、アナログ回路とディジタル回路とのそれぞれを異なる電池によって動作させる場合に、一方の電池だけがどんどん消耗するいわゆる電池の片減りを防止することを目的としている。」
「【００２０】上記の携帯用電子機器は、より大きな電流を必要とする一方の回路はアナログ回路であり、他方の回路はディジタル回路である。ＴＶ受信機能やＦＭ受信機能、オーディオ再生機能を有する携帯用電子機器は、
アナログ部となるＴＶチューナや音声出力部など
「【００２５】
【発明の実施の形態】本発明に係る携帯用電子機器の給電方法および
携帯用電子機器
音楽の再生機能(オーディオ再生機能)
を有している
「【００２７】なお、本体１２には、電源部２６を構成しているアルカリ乾電池などからなる円柱状の第１電池２８と第２電池３０とが内蔵してある。これらの第１電池２８と第２電池３０とは、相互に並行させて並べて配置してある。そして、
第１電池２８と第２電池３０
アナログ信号を取り扱うアナログ回路(アナログ部)
ディジタル回路(ディジタル部)
「【００２９】図３は、ＡＶ機器１０の主要部のブロック図である。ＡＶ機器１０は、図３に示したように、
ＣＰＵからなるシステム制御部３２
「【００３０】また、ＡＶ機器１０は、メインスイッチ２０の出力側に接続した切替え接続部となっている詳細を後述する電源制御部３４を有する。この電源制御部３４は、ＡＶ機器１０を構成している各回路に電力を供給するようになっている。すなわち、電源制御部３４の出力側には、
アナログ部(アナログ回路)
ＴＶチューバ３６とＦＭチューナ３８
ディジタル部(ディジタル回路)
音声・画像デコーダ４０
が接続してある
ＴＶチューナ３６、ＦＭチューナ３８
「【００３２】また、
音声・画像デコーダ４０は
ディジタル音楽データをアナログ信号に変換して
音声出力部に送出する
「【００３３】メインスイッチ２０は、図４に示したように、第１電池２８を電源制御部３４に接続、遮断する第１スイッチ部５６と、第２電池３０を電源制御部３４に接続、遮断する第２スイッチ部５８とが連動して作動するようになっている。そして、
電源制御部３４は、第１電池２８と第２電池３０とのいずれか一方を選択してディジタル回路からなる制御系回路５７に切替え接続し、第１電池２８と第２電池３０とのいずれか他方をアナログ回路からなるアプリケーション系回路５９に切替え接続する
電源制御部３４は、制御系回路５７を構成しているシステム制御部３２から切替え信号を受けるようになっている
「【図４】
」
２　引用文献１に記載された発明
　上記１の記載事項によると、引用文献１には次の発明（以下「引用発明」という。）が記載されていると認められる。
　なお、構成を区別するために（ａ）〜（ｈ）を付した。以下各構成を「構成ａ」〜「構成ｈ」という。また、構成の末尾に対応する段落番号又は図面番号を付した。
（引用発明）
（ａ）第１電池２８と第２電池３０と、（【００２７】）
（ｂ）アナログ信号を取り扱うアナログ回路５９と、(【００２７】、【００３３】、【図４】)
（ｃ）ディジタル回路５７とを備え、（【００２７】、【００３３】、【図４】）
（ｄ）前記アナログ回路５９は、ＴＶチューナ３６、ＦＭチューナ３８、音声出力部を有し、（【００２０】、【００３０】）
（ｅ）前記ディジタル回路５７は、ＣＰＵからなるシステム制御部３２及び音声・画像デコーダ４０を備え、（【００２９】、【００３０】、【００３３】）
（ｆ）前記音声・画像デコーダ４０は、ディジタル音楽データをアナログ信号に変換して音声出力部に送出し、（【００３２】）
（ｇ）前記システム制御部３２により制御される電源制御部３４は、前記第１電池２８と前記第２電池３０とのいずれか一方を選択して前記ディジタル回路５７に切替え接続し、前記第１電池２８と前記第２電池３０とのいずれか他方を前記アナログ回路５９に切替え接続する、（【００３３】）
（ｈ）オーディオ再生機能を有する携帯用電子機器。（【００２５】）
第５対比・判断
１．本願発明１について
（１）対比
　本願発明１と引用発明とを対比する。
ア　構成要件Ａについて
　構成ａの「第１電池２８と第２電池」は、構成要件Ａの「複数のバッテリー」に相当する。
　したがって、本願発明１と引用発明とは、「複数のバッテリー」を備える点で一致する。
イ　構成要件Ｂ、Ｅについて
　構成ｄの「音声出力部」は、構成ｆの「音声・画像デコーダ４０」においてディジタル音楽データをアナログ信号に変換して送出された信号を、音声信号として出力するものであるから、音声信号を処理するものであり、「音声信号を処理するオーディオシステム」といえる。
　引用発明は、「音声・画像デコーダ４０」が「ディジタル音楽データをアナログ信号に変換」する（構成ｆ）から、「音声・画像デコーダ４０」は「デジタル音声信号をアナログ音声信号にＤ／Ａ変換するＤ／Ａコンバーター」を有しているといえるが、構成ｅにおいて「音声・画像デコーダ４０」が「ディジタル回路５７」に備えられており、「音声出力部」が「デジタル音声信号をアナログ音声信号にＤ／Ａ変換するＤ／Ａコンバーター」を有していない。したがって、引用発明においては、「前記オーディオシステムは、デジタル音声信号をアナログ音声信号にＤ／Ａ変換するＤ／Ａコンバーター」を有していない。
　また、「音声信号を処理するオーディオシステム」に相当する構成ｄの「音声力部」は、「前記オーディオシステムは、アナログ音声信号を増幅する増幅回路」を有していると特定されていない。
　したがって、本願発明１と引用発明とは、「音声信号を処理するオーディオシステム」を備える点で一致し、「オーディオシステム」が、本願発明１においては、「デジタル音声信号をアナログ音声信号にＤ／Ａ変換するＤ／Ａコンバーターと、アナログ音声信号を増幅する増幅回路と、を有する」のに対し、引用発明においては、「デジタル音声信号をアナログ音声信号にＤ／Ａ変換するＤ／Ａコンバーター」を有しておらず、「アナログ音声信号を増幅する増幅回路」を有していると特定されていない点で両者は相違する。
ウ　構成要件Ｃについて
　構成ｅの「ＣＰＵからなるシステム制御部３２」は、構成要件Ｃの「制御部を有し、音声信号の処理以外の処理を行うメインシステム」に相当する。
　したがって、本願発明１と引用発明とは、「制御部を有し、音声信号の処理以外の処理を行うメインシステム」を備える点で一致する。
エ　構成要件Ｄについて
　構成ｇの「第１電池２８」、「第２電池３０」は、構成要件Ｄの「前記複数のバッテリーのうちの第１バッテリー」、「前記複数のバッテリーのうちの第２バッテリー」にそれぞれ相当する。
　構成ｇの「ディジタル回路」は、構成要件Ｃに相当する「ＣＰＵからなるシステム制御部３２」を備えており（構成ｅ）、構成ｇの「アナログ回路」は、「音声出力部」を備えている（構成ｄ）。当該「音声出力部」が、「オーディオシステム」に相当するが、相違点があることは上記イのとおりである。
　したがって、構成ｇは、構成要件Ｄの「前記複数のバッテリーのうちの第１バッテリーは、前記メインシステムに電源電圧を供給し、前記複数のバッテリーのうちの第２バッテリーは、前記オーディオシステムに電源電圧を供給」することに相当し、本願発明１と引用発明とは、この点で一致する。
　しかしながら、「オーディオシステム」が上記イの相違点で相違する。
オ　構成要件Ｆについて
　構成ｈの「オーディオ再生機能を有する携帯用電子機器」は、構成要件Ｆの「音楽再生装置」に相当する。
　したがって、本願発明１と引用発明とは、「音楽再生装置」である点で一致する。
（２）一致点、相違点
　上記（１）によると、本願発明１と引用発明との一致点、相違点は次のとおりである。
（一致点）
（Ａ）複数のバッテリーと、
（Ｂ）音声信号を処理するオーディオシステムと、
（Ｃ）制御部を有し、音声信号の処理以外の処理を行うメインシステムと、を備え、
（Ｄ）前記複数のバッテリーのうちの第１バッテリーは、前記メインシステムに電源電圧を供給し、
　前記複数のバッテリーのうちの第２バッテリーは、前記オーディオシステムに電源電圧を供給する
（Ｆ）を特徴とする音楽再生装置。
（相違点）
　「オーディオシステム」が、
　本願発明１においては、
「デジタル音声信号をアナログ音声信号にＤ／Ａ変換するＤ／Ａコンバーターと、アナログ音声信号を増幅する増幅回路と、を有する」ものであるのに対し、
　引用発明においては、
「デジタル音声信号をアナログ音声信号にＤ／Ａ変換するＤ／Ａコンバーター」を有しておらず、「アナログ音声信号を増幅する増幅回路」を有していると特定されていない点
　　
（３）当審の判断
　「オーディオシステム」に相当する、引用発明の「音声出力部」は、音声を出力するものであるから、音声を増幅することは普通に想定でき、引用発明において音声出力部が増幅回路を有するようにすることは、当業者が容易に想到し得ることである。
　一方、引用発明においては、ディジタル回路５７に備えられた音声・画像デコーダ４０が、ディジタル音楽データをアナログ信号に変換するものであり、「オーディオシステム」に相当する、引用発明の「音声出力部」において、デジタル音声信号をアナログ音声信号にＤ／Ａ変換するものではない。
　引用発明は、電源回路を介して生ずるアナログ部とディジタル部との相互のノイズなどによる影響を防止することを目的をするもの（段落【０００８】）であり、ディジタル回路５７に備えられた音声・画像デコーダ４０において、ディジタル音楽データをアナログ信号に変換していたものを、オーディオシステムに相当する、アナログ回路の音声出力部において行うようにする動機は見当たらない。
　そして、本願発明１は、第１バッテリーがメインシステムに電源電圧を供給し、第２バッテリーがＤ／Ａコンバーターを有するオーディオシステムに電源電圧を供給することにより、オーディオシステムが、メインシステムの電流変動による影響を受けないため、音質の劣化を防止するという効果を奏するものである。
　したがって、本願発明１は、当業者であっても引用発明に基づいて容易に発明できたものであるとは認められない。
２　本件発明２〜７について
　本願発明２〜７は、本願発明１の発明特定事項をすべて備えているから、本願発明１と同じ理由により、当業者であっても、引用発明に基づいて容易に発明できたものとは認められない。
第６　むすび
　以上のとおり、本願発明１〜７は、当業者が引用発明に基づいて容易に発明をすることができたものではない。したがって、原査定の理由によっては、本願を拒絶することはできない。
　また、他に本願を拒絶すべき理由を発見しない。
　よって、結論のとおり審決する。